(57)【要約】      （修正有）【課題】レンズ鏡筒の繰出し量が大きくても、大型化やコスト高を回避しつつ、部品を傷付けることなく、沈胴時にＦＰＣをコンパクトに収納する。【解決手段】レンズ鏡筒は、ズーム動作に応じて光軸方向に移動し、第１排出部を有する絞り機構２０と、ズーム動作に応じて光軸方向に移動し、第１排出部の径方向内側に配置された第２排出部を有する２群鏡筒３０と、第１排出部の径方向内側面に沿って像面側に引き出されるＦＰＣ２２と、第２排出部に沿って像面側に引き出されるＦＰＣ３３とを備える。第１排出部の被写体側端部には、ＦＰＣ２２の厚み方向の動きを規制する第１規制部が設けられ、第２排出部の像面側端部には、ＦＰＣ３３の幅方向と厚み方向の動きを規制する第２規制部が設けられる。ＦＰＣ２２，３３は、カメラ本体に電気的に接続され、第１排出部は、ズーム動作の全領域において、第２規制部に対して光軸と平行な方向にオーバーラップする。【選択図】図２
2017068200.tif 000002
【特許請求の範囲】
【請求項１】
沈胴位置と撮影位置との間をレンズ群が光軸方向に移動して撮影倍率を変更するズーム式のレンズ鏡筒であって、
ズーム動作に応じて光軸方向に移動し、像面側に延びる第１基板排出部を有する第１被駆動部材と、
前記ズーム動作に応じて光軸方向に移動し、前記第１基板排出部の径方向内側に配置された第２基板排出部を有する第２被駆動部材と、
前記第１被駆動部材から前記第１基板排出部の径方向内側の面に沿って像面側に引き出され、撮像装置の装置本体と電気的に接続される第１フレキシブルプリント基板と、
前記第２被駆動部材から前記第２基板排出部に沿って像面側に引き出され、前記装置本体と電気的に接続される第２フレキシブルプリント基板と、を備え、
前記第１基板排出部の被写体側の端部には、前記第１フレキシブルプリント基板の厚み方向の動きを規制する第１規制部が設けられ、
前記第２基板排出部の像面側の端部には、前記第２フレキシブルプリント基板の幅方向と厚み方向の動きを規制する第２規制部が設けられ、
前記第１基板排出部は、前記ズーム動作の全領域において、前記第２基板排出部の前記第２規制部に対して光軸と平行な方向にオーバーラップしていることを特徴とするレンズ鏡筒。
【請求項２】
前記第１基板排出部の径方向内側の面の幅方向の両側には、前記第１フレキシブルプリント基板の幅方向の動きを規制する側壁が設けられていることを特徴とする請求項１に記載のレンズ鏡筒。
【請求項３】
前記第２被駆動部材は、像ブレ補正機構を備え、
前記像ブレ補正機構は、防振地板と、補正レンズを保持するレンズ保持部と、カバー部材と、を有し、
前記第２規制部は、前記カバー部材に設けられていることを特徴とする請求項１又は２に記載のレンズ鏡筒。
【請求項４】
前記第１被駆動部材は、前記レンズ群に入射する光量を調整する光量調整ユニットであることを特徴とする請求項１乃至３のいずれか一項に記載のレンズ鏡筒。
【請求項５】
沈胴位置と撮影位置との間をレンズ群が光軸方向に移動して撮影倍率を変更するズーム式のレンズ鏡筒を備える撮像装置であって、
前記レンズ鏡筒として、請求項１乃至４のいずれか一項に記載のレンズ鏡筒を備えることを特徴とする撮像装置。
【発明の詳細な説明】
【技術分野】
【０００１】
本発明は、例えばデジタルカメラや銀塩カメラ等の撮像装置に搭載されるレンズ鏡筒、及びレンズ鏡筒を備える撮像装置に関する。
【背景技術】
【０００２】
デジタルカメラ等の撮像装置では、レンズ鏡筒の複数のレンズ群の光軸方向の間隔を変化させることでズーム動作を行うものが普及している。レンズ鏡筒の内部には、ズーム動作に応じて光軸方向に移動するシャッタ機構や絞り機構、像ブレ補正機構等が設けられ、これらを駆動するアクチュエータへ電力を供給する手段として、柔軟性のあるフレキシブルプリント基板を使用することが多い。
【０００３】
ところで、近年の撮影倍率の高倍率化やカメラの薄型化の要望から、レンズ鏡筒のズーム動作に伴うシャッタ機構や絞り機構、像ブレ補正機構の移動ストロークが長くなり、同時にそれらに接続するフレキシブルプリント基板も長くする必要が出てきている。従って、レンズ鏡筒の沈胴状態では、長いフレキシブルプリント基板を断線することなく適切に収納する必要がある。
【０００４】
レンズ鏡筒を大型化させることなく沈胴時にレンズ鏡筒内のスペースに長いフレキシブルプリント基板を収納させるために、レンズ鏡筒内のスペース自体を拡大する方法や長いフレキシブルプリント基板を効率的に畳みこむ方法について多くの検討がなされている。
【０００５】
例えば、レンズ鏡筒の沈胴時に、フレキシブルプリント基板の一部をレンズ鏡筒の有効光路内に侵入させる技術が提案されている（特許文献１）。この技術は、レンズ鏡筒が撮影状態である時にのみ必要となる空間をレンズ鏡筒の沈胴時に効率的に利用することで、フレキシブルプリント基板の収納スペースを実質的に拡大するものである。また、レンズ鏡筒の沈胴時に、レンズ群の間にフレキシブルプリント基板をコンパクトに収納する技術が提案されている（特許文献２）。
【先行技術文献】
【特許文献】
【０００６】
【特許文献１】特開平０９−２１１２８４号公報
【特許文献２】特開２０１３−３５１４号公報
【発明の概要】
【発明が解決しようとする課題】
【０００７】
しかしながら、上記特許文献１に記載された技術では、フレキシブルプリント基板のような可撓性を有して収納状態が安定しない部材をレンズ鏡筒の有効光路内に侵入させている。そのため、フレキシブルプリント基板をレンズ鏡筒の有効光路内に侵入させた際に、フレキシブルプリント基板がレンズに当接して、レンズを傷付けてしまうおそれがある。
【０００８】
また、上記特許文献２に記載された技術では、シャッタ機構や絞り機構、手振れ補正機構のそれぞれのフレキシブルプリント基板の光軸方向への引き出し部分において、フレキシブルプリント基板が厚み方向と幅方向に可撓可能である。そのため、レンズ鏡筒の沈胴動作に伴ってフレキシブルプリント基板をレンズ鏡筒内にコンパクトに収納させる際に、フレキシブルプリント基板がレンズ鏡筒の部品間に挟み込まれて断線するおそれがある。
【０００９】
そこで、本発明は、レンズ鏡筒の繰出し量が大きくても、レンズ鏡筒の大型化や部品追加によるコスト高を回避しつつ、また、レンズ鏡筒の部品を傷付けることなく、沈胴時にフレキシブルプリント基板をコンパクトに収納することができる技術を提供する。
【課題を解決するための手段】
【００１０】
上記目的を達成するために、本発明は、沈胴位置と撮影位置との間をレンズ群が光軸方向に移動して撮影倍率を変更するズーム式のレンズ鏡筒であって、ズーム動作に応じて光軸方向に移動し、像面側に延びる第１基板排出部を有する第１被駆動部材と、前記ズーム動作に応じて光軸方向に移動し、前記第１基板排出部の径方向内側に配置された第２基板排出部を有する第２被駆動部材と、前記第１被駆動部材から前記第１基板排出部の径方向内側の面に沿って像面側に引き出され、撮像装置の装置本体と電気的に接続される第１フレキシブルプリント基板と、前記第２被駆動部材から前記第２基板排出部に沿って像面側に引き出され、前記装置本体と電気的に接続される第２フレキシブルプリント基板と、を備え、前記第１基板排出部の被写体側の端部には、前記第１フレキシブルプリント基板の厚み方向の動きを規制する第１規制部が設けられ、前記第２基板排出部の像面側の端部には、前記第２フレキシブルプリント基板の幅方向と厚み方向の動きを規制する第２規制部が設けられ、前記第１基板排出部は、前記ズーム動作の全領域において、前記第２基板排出部の前記第２規制部に対して光軸と平行な方向にオーバーラップしていることを特徴とする。
【発明の効果】
【００１１】
本発明によれば、レンズ鏡筒の繰出し量が大きくても、レンズ鏡筒の大型化や部品追加によるコスト高を回避しつつ、また、レンズ鏡筒の部品を傷付けることなく、沈胴時にフレキシブルプリント基板をコンパクトに収納することができる。
【図面の簡単な説明】
【００１２】
【図１】本発明のレンズ鏡筒を備える撮像装置の実施形態の一例であるデジタルカメラを正面側（被写体側）から見た斜視図である。
【図２】レンズ鏡筒の分解斜視図である。
【図３】（ａ）は絞り機構２０の斜視図、（ｂ）は（ａ）に示す絞り機構２０を下側から見た斜視図である。
【図４】２群鏡筒の斜視図である。
【図５】（ａ）はレンズ鏡筒のテレ位置での光軸方向に沿う断面図、（ｂ）はレンズ鏡筒がテレ位置にあるときに絞り機構の基板排出部及び２群鏡筒の基板排出部からそれぞれフレキシブルプリント基板が像面側に引き出される部分の断面図である。
【図６】（ａ）はレンズ鏡筒のワイド位置での光軸方向に沿う断面図、（ｂ）はレンズ鏡筒がワイド位置にあるときに絞り機構の基板排出部及び２群鏡筒の基板排出部からそれぞれフレキシブルプリント基板が像面側に引き出される部分の断面図である。
【図７】（ａ）はレンズ鏡筒の沈胴位置での光軸方向に沿う断面図、（ｂ）はレンズ鏡筒が沈胴位置にあるときに絞り機構の基板排出部及び２群鏡筒の基板排出部からそれぞれフレキシブルプリント基板が像面側に引き出される部分の断面図である。
【図８】絞り機構の基板排出部及び２群鏡筒の基板排出部からそれぞれフレキシブルプリント基板が像面側に引き出される部分を光軸方向像面側から見た要部断面図である。
【発明を実施するための形態】
【００１３】
以下、本発明の実施形態について、図面を参照して詳細に説明する。
【００１４】
図１は、本発明のレンズ鏡筒を備える撮像装置の実施形態の一例であるデジタルカメラを正面側（被写体側）から見た斜視図である。
【００１５】
本実施形態のデジタルカメラは、図１に示すように、カメラ本体１の正面側に、沈胴位置と撮影位置との間をレンズ群が光軸方向に移動して撮影倍率を変更するズーム式のレンズ鏡筒２が設けられ、レンズ鏡筒２の上側には、ファインダ窓４が設けられている。カメラ本体１の上面部には、ポップアップ式のストロボユニット３、及びレリーズボタン５等が設けられている。レリーズボタン５の半押し操作等により撮影準備動作（焦点調節動作、測光動作等）が開始され、レリーズボタン５の全押し操作等により撮影動作（イメージセンサ（撮像素子）への露光）が開始される。カメラ本体１は、本発明の装置本体の一例に相当する。
【００１６】
図２は、レンズ鏡筒２の分解斜視図である。図２に示すように、レンズ鏡筒２は、１群鏡筒１０、絞り機構２０、２群鏡筒３０、移動カム筒４０、直進筒５０、固定筒６０、３群鏡筒７０、センサホルダ８０、鏡筒駆動モータ８１及び鏡筒フレキシブルプリント基板８２を備える。絞り機構２０は、本発明の第１被駆動部材の一例に相当し、２群鏡筒３０は、本発明の第２被駆動部材の一例に相当する。
【００１７】
１群鏡筒１０は、１群レンズ（不図示）を保持し、先端には、カメラの電源オン／オフに従って撮影光路を開閉するレンズバリア装置１１が設けられている。絞り機構２０は、絞りユニット（光量調整ユニット）を備え、１群レンズに入射して撮像素子へ導かれる光量を調節する。絞り機構２０には、絞りフレキシブルプリント基板２２（以下、絞りＦＰＣ２２という。）が設けられている。絞りＦＰＣ２２は、本発明の第１フレキシブルプリント基板の一例に相当する。
【００１８】
２群鏡筒３０は、補正レンズを構成する２群レンズＬ２を保持する２群レンズ保持部３１を有する。２群レンズ保持部３１は、防振地板３２に対して光軸と直交する方向に移動可能に支持されて像ブレ補正機構を構成している。防振地板３２には、シャッタフレキシブルプリント基板３３（以下、シャッタＦＰＣ３３という。）が設けられ、防振地板３２の像面側には、シャッタ機構が取り付けられている。シャッタＦＰＣ３３は、本発明の第２フレキシブルプリント基板の一例に相当する。
【００１９】
移動カム筒４０は、１群鏡筒１０、絞り機構２０及び２群鏡筒３０を光軸方向に移動させるためのカム溝４１が内周部に形成され、外周部には、鏡筒駆動モータ８１からの動力を伝達するギア部４２が設けられている。直進筒５０は、移動カム筒４０に回転可能にバヨネット結合で保持され、固定筒６０の内周部に形成された直進溝６１によって回転が規制された状態で移動カム筒４０と一体に光軸方向に移動する。
【００２０】
１群鏡筒１０、絞り機構２０及び２群鏡筒３０は、移動カム筒４０の内周部に形成されるカム溝４１に追従することで、それぞれ個別に光軸方向へ移動し、また、直進筒５０によってそれぞれ回転が規制される。固定筒６０の内周部には、移動カム筒４０を駆動するためのカム溝６２が形成されているとともに、直進筒５０の回転を規制する直進溝６１が形成されている。また、固定筒６０の外周部には、径方向外側に突出するフランジ部６３が形成されている。
【００２１】
３群鏡筒７０は、フォーカスレンズを構成する３群レンズＬ３を保持する３群レンズ保持部７１を有する。３群レンズ保持部７１は、フォーカス駆動部７３の駆動力によって光軸方向へ移動し、これにより、合焦動作が行われる。センサホルダ８０は、ＣＣＤセンサやＣＭＯＳセンサ等の撮像素子を保持し、光軸方向において固定筒６０に結合される。
【００２２】
センサホルダ８０の外周部には、被写体側に向けて光軸方向に延びる壁部８３が設けられている。鏡筒フレキシブルプリント基板８２（以下、鏡筒ＦＰＣ８２という。）には、絞りＦＰＣ２２及びシャッタＦＰＣ３３が固定筒６０の外周側においてコネクタ接続される。
【００２３】
図３（ａ）は絞り機構２０の斜視図、図３（ｂ）は図３（ａ）に示す絞り機構２０を下側から見た斜視図である。図４は、２群鏡筒３０の斜視図である。
【００２４】
図３に示すように、絞り機構２０には、虹彩絞りを駆動するステッピングモータ等の絞り駆動部２１が設けられている。絞り駆動部２１には、絞りＦＰＣ２２が接続され、絞りＦＰＣ２２の先端側には、位置決め孔２２ａが形成されている。また、絞り機構２０の外周部において絞り駆動部２１と径方向に対向する位置には、像面側に突出する基板排出部２３が設けられている。絞りＦＰＣ２２は、絞り機構２０上を這い回されて基板排出部２３の絞り機構２０の径方向内側の面に沿って像面側に引き出される。この絞りＦＰＣ２２を介してカメラ本体１の電源部から電力が供給される。
【００２５】
また、基板排出部２３の絞り機構２０の径方向内側の面の幅方向両側には、それぞれ側壁２４が基板排出部２３の突出方向に沿って設けられ、基板排出部２３の被写体側の端部には、浮き規制部２５が設けられている。この浮き規制部２５によって絞りＦＰＣ２２の厚み方向の浮きが規制され、基板排出部２３の側壁２４によって絞りＦＰＣ２２の幅方向の動きが規制される。基板排出部２３は、本発明の第１基板排出部の一例に相当する。
【００２６】
図４に示すように、２群鏡筒３０の防振地板３２の外周側には、２群レンズＬ２を保持する２群レンズ保持部３１を光軸と直交する方向に移動させる補正レンズ駆動部（不図示）が設けられている。また、防振地板３２の２群レンズＬ２の外周側には、シャッタ機構を駆動するシャッタ駆動部（不図示）が設けられ、防振地板３２の像面側には、ＮＤフィルタを駆動するＮＤ駆動部（不図示）が設けられている。
【００２７】
防振地板３２の被写体側には、像ブレ補正機構、２群レンズＬ２、補正レンズ駆動部、及びシャッタ駆動部を光軸方向に挟むようにカバー部材３４がスナップフィット結合により係止されている。シャッタＦＰＣ３３は、補正レンズ駆動部、シャッタ駆動部、及びＮＤ駆動部に接続され、カバー部材３４上を這い回されて、カバー部材３４の外周部に設けられた基板排出部３５に沿って像面側に引き出される。シャッタＦＰＣ３３の先端側には、位置決め孔３３ｂが形成されている。このシャッタＦＰＣ３３を介してカメラ本体１の電源部から電力が供給される。
【００２８】
また、基板排出部３５の像面側端部の幅方向両側には、位置規制部３６が設けられ、位置規制部３６には、シャッタＦＰＣ３３の係合部３３ａが係合して位置決めされる。これにより、シャッタＦＰＣ３３の幅方向と厚み方向への動きが規制される。基板排出部３５は、本発明の第２基板排出部の一例に相当する。
【００２９】
ところで、レンズ鏡筒２の撮影倍率を高倍率化するための一つの手段として、２群レンズＬ２の繰出し量を可能な限り大きくすることが挙げられる。この場合、絞りＦＰＣ２２及びシャッタＦＰＣ３３の長さを長くする必要がある。なお、補正レンズとしての２群レンズＬ２に代えて通常のレンズの繰出し量を大きくすることで高倍率化することも可能である。
【００３０】
絞り機構２０及び２群鏡筒３０から像面側に引き出された絞りＦＰＣ２２及びシャッタＦＰＣ３３の先端部は、固定筒６０のフランジ部６３とセンサホルダ８０の壁部８３との間に形成される隙間部から固定筒６０の外側に引き出される。
【００３１】
固定筒６０の外側に引き出された絞りＦＰＣ２２及びシャッタＦＰＣ３３は、それぞれ位置決め孔２２ａ及び位置決め孔３３ｂがセンサホルダ８０の位置決め凸部８４に嵌合されて固定される。この状態で、絞りＦＰＣ２２及びシャッタＦＰＣ３３の先端部がそれぞれ鏡筒ＦＰＣ８２に実装された絞りコネクタ（不図示）及びシャッタコネクタ（不図示）に接続される。これにより、レンズ鏡筒２とカメラ本体１とが電気的に接続される。
【００３２】
次に、図５乃至図７を参照して、レンズ鏡筒２のズーム動作時における絞りＦＰＣ２２及びシャッタＦＰＣ３３の挙動について説明する。
【００３３】
図５（ａ）はレンズ鏡筒２のテレ位置での光軸方向に沿う断面図、図５（ｂ）はレンズ鏡筒２がテレ位置にあるときに基板排出部２３，３５から絞りＦＰＣ２２及びシャッタＦＰＣ３３が像面側に引き出される部分の断面図である。
【００３４】
図６（ａ）はレンズ鏡筒２のワイド位置での光軸方向に沿う断面図、図６（ｂ）はレンズ鏡筒２がワイド位置にあるときに基板排出部２３，３５から絞りＦＰＣ２２及びシャッタＦＰＣ３３が像面側に引き出される部分の断面図である。
【００３５】
図７（ａ）はレンズ鏡筒２の沈胴位置での光軸方向に沿う断面図、図７（ｂ）はレンズ鏡筒２が沈胴位置にあるときに基板排出部２３，３５から絞りＦＰＣ２２及びシャッタＦＰＣ３３が像面側に引き出される部分の断面図である。
【００３６】
絞りＦＰＣ２２は、絞り機構２０より像面側に位置する２群鏡筒３０のシャッタＦＰＣの外径側に配置される。絞りＦＰＣ２２及びシャッタＦＰＣ３３は、絞り機構２０及び２群鏡筒３０が最も繰り出すレンズ鏡筒２のテレ位置（図５参照）において弛みが生じないように長さが設定されている。絞りＦＰＣ２２及びシャッタＦＰＣ３３の全長は、絞り機構２０及び２群鏡筒３０が最大繰出し位置にあるときの絞り機構２０及び２群鏡筒３０とセンサホルダ８０との位置関係によって決まる。
【００３７】
従って、沈胴位置（図７（ａ））やワイド位置（図６（ａ））では、絞りＦＰＣ２２及びシャッタＦＰＣ３３は、基板排出部２３，３５からセンサホルダ８０の位置決め凸部８４で固定される間の領域で弛みが生じる。このため、この弛みがズーム動作に影響を及ぼしたり、沈胴位置での収納時にレンズ鏡筒２の部品同士に挟み込まれて断線、或いはレンズ鏡筒２の部品を傷付けることがないように絞りＦＰＣ２２及びシャッタＦＰＣ３３を収納させる必要がある。
【００３８】
そこで、本実施形態では、レンズ鏡筒２の沈胴時に、図７（ａ）に示すように、絞りＦＰＣ２２及びシャッタＦＰＣ３３を、移動カム筒４０と、固定筒６０のフランジ部６３と、センサホルダ８０の壁部８３とにより形成される空間ＰにＳ字状に収納させている。以下、具体的に説明する。
【００３９】
レンズ鏡筒２を図５（ａ）に示すテレ位置から沈胴位置に繰り込み動作させると、絞り機構２０及び２群鏡筒３０は共に、像面側に移動し、絞りＦＰＣ２２及びシャッタＦＰＣ３３はＵ字形状となり、図６（ａ）に示すワイド状態になる。レンズ鏡筒２がワイド位置から更に沈胴位置に繰り込み動作させると、絞りＦＰＣ２２及びシャッタＦＰＣ３３はセンサホルダ８０の底面８５に当接する。
【００４０】
更にレンズ鏡筒２の繰り込み動作が進むと、センサホルダ８０の底面８５に対する絞りＦＰＣ２２及びシャッタＦＰＣ３３の当接面積が増えていく。つまり、絞りＦＰＣ２２及びシャッタＦＰＣ３３は、レンズ鏡筒２の径方向（図７の矢印Ｘ方向）に広がっていき、絞り機構２０と２群鏡筒３０の繰り込み動作が更に進むと、一部がセンサホルダ８０の傾斜部８６に乗り上げる。
【００４１】
そして、絞りＦＰＣ２２及びシャッタＦＰＣ３３は、絞り機構２０と２群鏡筒３０が像面側に移動する力が推進力となって、センサホルダ８０の傾斜部８６からの分力を図７の矢印Ｘ方向に受けて滑っていく。その後、絞りＦＰＣ２２及びシャッタＦＰＣ３３は、センサホルダ８０の壁部８３の内周面に当接し、絞り機構２０と２群鏡筒３０が更に繰り込むと、壁部８３の内周面との当接面積が増えていく。
【００４２】
その後、絞りＦＰＣ２２及びシャッタＦＰＣ３３は、絞り機構２０と２群鏡筒３０が像面側に移動する力が推進力となって、センサホルダ８０の傾斜部８６からの分力を光軸方向（図７の矢印Ｙ方向）に受けて滑っていく。そして、最終的には、絞りＦＰＣ２２及びシャッタＦＰＣ３３は、図７（ａ）に示すように、移動カム筒４０と、固定筒６０のフランジ部６３と、センサホルダ８０の壁部８３とにより形成される空間ＰにＳ字状に収納される。
【００４３】
これにより、絞りＦＰＣ２２及びシャッタＦＰＣ３３は、固定筒６０のフランジ部６３とセンサホルダ８０の壁部８３との間の隙間部から像面側に向けて径方向内側及び径方向外側にＳ字状に膨らんだ状態で空間Ｐに収納される。このため、単に像面側に向けてＵ字状に膨らんだ場合に比べてＳ字状に径方向内側及び外側に膨らんだ長さの差分だけ絞りＦＰＣ２２及びシャッタＦＰＣ３３の長さを長くすることができる。
【００４４】
また、絞りＦＰＣ２２及びシャッタＦＰＣ３３が摺接するセンサホルダ８０の傾斜部８６や壁部８３の内周面の表面粗さを適正に管理することで、絞りＦＰＣ２２及びシャッタＦＰＣ３３がセンサホルダ８０を滑らせる際の摩擦力を低減することができる。これにより、絞りＦＰＣ２２及びシャッタＦＰＣ３３の断線を抑制して適切な収納を可能にすることができる。
【００４５】
次に、図５（ｂ）、図６（ｂ）、図７（ｂ）及び図８を参照して、絞りＦＰＣ２２とシャッタＦＰＣ３３の関係を説明する。図８（ａ）は、絞り機構２０の基板排出部２３及び２群鏡筒３０の基板排出部３５からそれぞれ絞りＦＰＣ２２及びシャッタＦＰＣ３３が像面側に引き出される部分を光軸方向像面側から見た要部断面図である。図８（ｂ）は、図８（ａ）より像面側のシャッタＦＰＣ３３の基板排出部３５に設けられた位置規制部３６の位置での要部断面図である。
【００４６】
絞りＦＰＣ２２及びシャッタＦＰＣ３３は、可撓性を有しているため、レンズ鏡筒２のズーム動作に伴って厚み方向や幅方向に屈曲変形する。前述したように、絞りＦＰＣ２２及びシャッタＦＰＣ３３の挙動を適切に管理できないと、ズーム動作に影響を及ぼしたり、沈胴位置での収納時にレンズ鏡筒２の部品同士に挟み込まれて断線、或いはレンズ鏡筒２の部品を傷付けるおそれがある。
【００４７】
図５（ｂ）、図６（ｂ）、及び図７（ｂ）に示すように、絞りＦＰＣ２２及びシャッタＦＰＣ３３は、基板排出部２３と基板排出部３５との間を通って像面側に引き出される。そして、シャッタＦＰＣ３３は、係合部３３ａがカバー部材３４の位置規制部３６に係合して位置が固定されることで、幅方向と厚み方向への動きが規制される。
【００４８】
一方、絞りＦＰＣ２２は、基板排出部２３の被写体側の端部に設けられた浮き規制部２５で位置が固定されるが、基板排出部２３には、スペースの関係上、位置規制部を設けることができない。このため、絞りＦＰＣ２２は、浮き規制部２５からセンサホルダ８０の位置決め凸部８４までの範囲において位置が規制されていない。
【００４９】
また、ズーム動作において、絞り機構２０と２群鏡筒３０とは、互いの間隔が一定でないため、カバー部材３４の位置規制部３６にシャッタＦＰＣ３３の係合部３３ａと併せて絞りＦＰＣ２２を係合させて位置を規制することもできない。
【００５０】
そこで、本実施形態では、図５（ｂ）、図６（ｂ）、及び図７（ｂ）に示すように、絞りＦＰＣ２２が引き出される絞り機構２０の基板排出部２３の先端部に像面側に延出する延出部２６を設けている。延出部２６は、テレ位置から沈胴位置におけるズーム動作の全領域において、シャッタＦＰＣ３３の基板排出部３５に設けられた位置規制部３６に対して像面側において光軸と平行な方向に常にオーバーラップする構成になっている。
【００５１】
図８（ａ）及び図８（ｂ）に示すように、絞りＦＰＣ２２及びシャッタＦＰＣ３３は、絞り機構２０の基板排出部２３或いは延出部２６とその側壁２４と２群鏡筒３０の基板排出部３５と囲まれた引き出し空間Ｊを通って像面側に引き出される。
【００５２】
基板排出部２３の側壁２４と基板排出部３５と径方向の隙間量は、互いに接触することのなくズーム動作に影響を及ぼさない最小限の隙間に設定されている。また、基板排出部２３の側壁２４間の幅寸法と、基板排出部２３と基板排出部３５との隙間量は、ズーム動作において絞りＦＰＣ２２及びシャッタＦＰＣ３３がスムーズに摺接することができる最小限の隙間に設定されている。
【００５３】
ここで、シャッタＦＰＣ３３は、位置規制部３６によって位置決めされている。このため、基板排出部２３，３５の被写体側端部からカバー部材３４の位置規制部３６までの範囲でズーム動作に伴って絞りＦＰＣ２２及びシャッタＦＰＣ３３が屈曲しても、絞りＦＰＣ２２及びシャッタＦＰＣ３３の厚み方向及び幅方向への動きが規制される。このため、ズーム動作に影響を及ぼすことはない。
【００５４】
また、絞りＦＰＣ２２は、ズーム動作の全領域において、引き出し空間Ｊ内で摺接している。このため、ズーム動作で絞りＦＰＣ２２が屈曲しても、この屈曲動作は、基板排出部２３の基端部からカバー部材３４の位置規制部３６の範囲では引き出し空間Ｊ内にとどまり、引き出し空間Ｊから絞りＦＰＣ２２が外側に引き出されることはない。このため、ズーム動作に影響を及ぼしたり、沈胴位置での収納時にレンズ鏡筒２の部品同士に挟み込まれて断線、或いはレンズ鏡筒２の部品を傷付けることがない。
【００５５】
このように、本実施形態では、レンズ鏡筒２の繰出し量が大きくても、レンズ鏡筒２の大型化やコスト高を回避しつつ、また、レンズ鏡筒２の部品を傷付けることなく、沈胴時にＦＰＣ２２，３３をコンパクトに収納することができる。
【００５６】
以上、本発明について好適な実施形態に基づいて詳述してきたが、本発明はこれら特定の実施形態に限られるものではなく、材質、形状、寸法、形態、数、配置箇所等は、本発明の要旨を逸脱しない範囲において適宜変更可能である。
【符号の説明】
【００５７】
１  カメラ本体
２  レンズ鏡筒
２０  絞り機構
２２  絞りＦＰＣ
２３  基板排出部
２５  浮き規制部
２６  延出部
３０  ２群鏡筒
３３  シャッタＦＰＣ
３３ａ  係合部
３４  カバー部材
３５  基板排出部
３６  位置規制部
【図１】
2017068200.tif 000003
【図２】
2017068200.tif 000004
【図３】
2017068200.tif 000005
【図４】
2017068200.tif 000006
【図５】
2017068200.tif 000007
【図６】
2017068200.tif 000008
【図７】
2017068200.tif 000009
【図８】
2017068200.tif 000010